(57)【要約】    【課題】  より使い勝手を向上させることが可能な携帯電話機を提供する。    【解決手段】  表示部１２１に表示される、例えば新着メール、不在着信などのイベントの発生件数をイベントの種類ごとに一覧表示するショートカットは、一旦表示されても他の画面へと移行した場合には通常表示されなくなるが、フリップ１２が閉状態から開状態となったときにショートカットを再生成して表示することにより、ショートカット表示のための専用のキーを設ける必要がなくなり、使い勝手が向上する。【選択図】          図１
2006279664.tif 000002
【特許請求の範囲】
【請求項１】
第１キャビネット及び第２キャビネットが開閉自在に連結され、表示部を備える携帯情報端末において、
発生したイベントについての情報を種類ごとにショートカットを生成するショートカット生成手段と、
生成されたショートカットを前記表示部に表示させるショートカット表示手段と、
前記第１キャビネット及び第２キャビネットの開閉を検出する開閉検出手段とを備え、
前記ショートカット生成手段は、
前記開閉検出手段が、開状態に変化したことを検出した場合に、ショートカットを生成し、
前記ショートカット表示手段により、生成されたショートカットを表示する
ことを特徴とする携帯情報端末。
【請求項２】
第１キャビネット及び第２キャビネットが開閉自在に連結され、両者が閉じた状態で外部に現れる表示部を備える携帯情報端末において、
発生したイベントについての情報を種類ごとにショートカットを生成するショートカット生成手段と、
生成されたショートカットを前記表示部に表示させるショートカット表示手段と、
前記第１キャビネット及び第２キャビネットの開閉を検出する開閉検出手段とを備え、
前記ショートカット生成手段は、
前記開閉検出手段が閉状態に変化したことを検出した場合に、ショートカットを生成し、
前記ショートカット表示手段により、生成されたショートカットを表示する
ことを特徴とする携帯情報端末。
【請求項３】
前記ショートカット生成手段は、
閉状態で処理することができないイベントについてはショートカットを生成しない
ことを特徴とする請求項２に記載の携帯情報端末。
【請求項４】
前記携帯情報端末は、
表示されたショートカットのいずれかを選択する入力を受付ける選択受付手段と、
選択されたショートカットに対応する処理を行う処理手段とを備え、
前記処理手段は、
不在着信のショートカットが選択された場合に、それまでの着信として記憶されている着信の回数が最も多い相手先の番号を前記表示部に表示する
ことを特徴とする請求項１から３のいずれかに記載の携帯情報端末。
【請求項５】
前記携帯情報端末は、
表示されたショートカットのいずれかを選択する入力を受付ける選択受付手段と、
選択されたショートカットに対応する処理を行う処理手段とを備え、
前記処理手段は、
不在着信のショートカットが選択された場合に、記憶されている優先度が最も高い相手先の番号を前記表示部に表示する
ことを特徴とする請求項１から３のいずれかに記載の携帯情報端末。
【請求項６】
前記携帯情報端末は、
表示されたショートカットのいずれかを選択する入力を受付ける選択受付手段と、
選択されたショートカットに対応する処理を行う処理手段とを備え、
前記処理手段は、
新着メールのショートカットが選択された場合に、件数が多いメールアドレスの順に前記表示部に一覧表示する
ことを特徴とする請求項１から３のいずれかに記載の携帯情報端末。
【請求項７】
前記ショートカット生成手段は、
発生したイベントの中で未確認状態のものがある場合に、未確認状態のイベントについてイベントの種類ごとにショートカットを生成し、
前記携帯情報端末は、
発生したイベントを全て確認済み状態に更新する状態更新手段を備える
ことを特徴とする請求項１から６のいずれかに記載の携帯情報端末。
【発明の詳細な説明】
【技術分野】
【０００１】
本発明は、携帯電話機等の携帯情報端末に関し、特に、液晶ディスプレイ等の表示部に、発生したイベントの件数等をイベントの種類ごとに一覧表示するショートカットを表示する携帯情報端末に関する。
【背景技術】
【０００２】
近年、携帯電話機等の携帯情報端末においては、単に通話を行うだけでなく電子メールの送受信や、着信時に電話に出られない場合の留守録サービスなど、その機能は多様を極めるようになっている。そこで、例えばメールの受信や、他者による留守録など各種のイベントが発生した場合に、イベントの発生をユーザに知らせる方法として、当該イベントに対応するアイコンを表示部に表示させることが一般に行われるようになっている（例えば特許文献１参照）。アイコンは図柄で表示されるが、これとは別に、イベントが発生した場合に、発生したイベントの種類と未確認のイベント件数（例えば「メール受信  １件」、「不在着信  ２件」等）を一覧表示し、いずれかが選択された場合に選択された行に対応する処理を実行するようにする場合がある（以下、このような表示を「ショートカット」という。）。
【０００３】
【特許文献１】特開２００３−３０４３２０号公報
【発明の開示】
【発明が解決しようとする課題】
【０００４】
上記のようなショートカットが表示される場合、特に発生したイベントの種類が多種である場合には、液晶ディスプレイ等により構成される表示部のかなりの面積を占めることになるため、一旦ショートカットが表示されても、別の画面へと移行したような場合にはショートカットは表示されなくなる。一旦ショートカットが表示されなくなると未確認のイベント件数が多い場合でも、再度のイベントの発生までショートカットが表示されることはない。
【０００５】
本発明は係る問題点に鑑みてなされたものであって、適切なタイミングで表示部にショートカットを表示させることができ、ユーザの使い勝手を向上させることが可能な携帯情報端末を提供することを目的としている。
【課題を解決するための手段】
【０００６】
上記の問題点を解決するために、本発明に係る第１の携帯情報端末は、第１キャビネット及び第２キャビネットが開閉自在に連結され、表示部を備える携帯情報端末において、発生したイベントについての情報を種類ごとにショートカットを生成するショートカット生成手段と、生成されたショートカットを前記表示部に表示させるショートカット表示手段と、前記第１キャビネット及び第２キャビネットの開閉を検出する開閉検出手段とを備え、前記ショートカット生成手段は、前記開閉検出手段が、開状態に変化したことを検出した場合に、ショートカットを生成し、前記ショートカット表示手段により、生成されたショートカットを表示することを特徴としている。
【０００７】
ここで、第２キャビネットとしては、例えば折畳式携帯電話機において表示部が配される側のフリップや、スライド式の携帯電話機で各種操作ボタンが配された本体を開閉自在にカバーする部材等が考えられる。本発明の構成では両者が開状態に変化した場合にショートカットを生成し、表示部に表示させるので、ショートカットの表示に特定の機能キー等を割り当てる必要がない。
【０００８】
また、本発明に係る第２の携帯情報端末は、第１キャビネット及び第２キャビネットが開閉自在に連結され、両者が閉じた状態で外部に現れる表示部を備える携帯情報端末において、発生したイベントについての情報を種類ごとにショートカットを生成するショートカット生成手段と、生成されたショートカットを前記表示部に表示させるショートカット表示手段と、前記第１キャビネット及び第２キャビネットの開閉を検出する開閉検出手段とを備え、前記ショートカット生成手段は、前記開閉検出手段が閉状態に変化したことを検出した場合に、ショートカットを生成し、前記ショートカット表示手段により、生成されたショートカットを表示することを特徴としている。
【０００９】
ここで、前記ショートカット生成手段は、閉状態で処理することができないイベントについてはショートカットを生成しないようにすることができる。
【００１０】
また、前記携帯情報端末は、表示されたショートカットのいずれかを選択する入力を受付ける選択受付手段と、選択されたショートカットに対応する処理を行う処理手段とを備え、前記処理手段は、不在着信のショートカットが選択された場合に、それまでの着信として記憶されている着信の回数が最も多い相手先の番号を前記表示部に表示することができる。
【００１１】
また、前記携帯情報端末は、表示されたショートカットのいずれかを選択する入力を受付ける選択受付手段と、選択されたショートカットに対応する処理を行う処理手段とを備え、前記処理手段は、不在着信のショートカットが選択された場合に、記憶されている優先度が最も高い相手先の番号を前記表示部に表示することもできる。
【００１２】
また、前記携帯情報端末は、表示されたショートカットのいずれかを選択する入力を受付ける選択受付手段と、選択されたショートカットに対応する処理を行う処理手段とを備え、前記処理手段は、新着メールのショートカットが選択された場合に、件数が多いメールアドレスの順に前記表示部に一覧表示することができる。
【００１３】
また、前記ショートカット生成手段は、発生したイベントの中で未確認状態のものがある場合に、未確認状態のイベントについてイベントの種類ごとにショートカットを生成し、前記携帯情報端末は、発生したイベントを全て確認済み状態に更新する状態更新手段を備えることができる。この場合、全て確認済み状態に更新された後は、新たなイベントが発生するまでショートカットは生成されなくなる。
【発明の効果】
【００１４】
本発明に係る携帯情報端末によると、フリップを開状態としたとき、閉状態としたときにショートカットを再表示させることができ、特定のキーを押下等する必要がなくなり、適切なタイミングで表示部にショートカットを表示させることができ、携帯電話機等の携帯情報端末の使い勝手をより向上させることができるという効果を奏する。
【発明を実施するための最良の形態】
【００１５】
以下、本発明の実施の形態について、図面を参照しながら説明する。
（１）携帯電話機の構成
図１は、本実施の形態における携帯電話機の外観の一例を示す斜視図である。本実施の形態の携帯電話機１０は、携帯電話機本体１１に対してフリップ１２が開閉自在に設けられた折畳式の携帯電話機であって、図１（ａ）に折り畳まれた状態が、同図（ｂ）にフリップ１２が開かれた状態が示されている。フリップ１２は、ヒンジ１３（同図（ｂ）参照）を介して、本体１１に対して開閉自在とされている。
【００１６】
本体１１側には、通話の際に音声が入力されるマイク１１２の他、携帯電話機１０を操作する各種操作ボタンが設けられている。同図の例では、電話番号等を入力する１から０までの数字及び「＊」及び「＃」を含むダイアルキー１１５、携帯電話機１０に対し電源投入を行う際に用いる電源キー１１５１、一旦入力した数字等をクリアするクリアキー１１５２、着信時、通話を開始する際に押下される通話キー１１５３、液晶ディスプレイ等から成る表示部１２１にメニュー画面が表示された場合等に、選択された処理を確定させる場合等に押下される決定キー１１６、メニュー画面等において処理を選択する場合等に押下される上下左右の方向キー１１７、各々に機能が割り当てられた機能キー１１８１〜１１８４が設けられている。機能ボタンには、例えば電話帳の編集メニューに移行したり、受信メールの一覧表示へジャンプするような機能を割り当てることができる。
【００１７】
一方、フリップ１２の内面には、前記した液晶ディスプレイ等から成る表示部１２１、通話時に音声が出力されるスピーカ１２２が設けられている。さらにフリップ１２の外側の面には、液晶ディスプレイ等からなるサブ表示部１２３、操作ボタン１２４が設けられている。なお、図１には不図示であるが、携帯電話機１０の所定位置には外部とのデータ入出力が可能なＵＳＢ端子が設けられており、当該ＵＳＢ端子を介して外部とのデータ通信が可能な構成となっている。
【００１８】
図２は、携帯電話機１０の内部構成を示すブロック図である。携帯電話機１０は、ＣＰＵ２００、アンテナ２１０、送受信部２２０、表示制御部２３０、音声処理部２４０を備えている。
【００１９】
ＣＰＵ２００は携帯電話機１０全体の制御を行う。通話の際にはマイク１１２から入力された音声が音声処理部２４０にてＡＤ変換され、送受信部２２０において通信方式に合致した処理がなされてアンテナ２１０から出力される。送受信部２２０での処理がなされてアンテナ２１０から出力されるのはデータ通信の場合も同様である。なお、本発明は表示部１２１に表示されるショートカットについてのユーザインタフェースに関するものであり、通信方式は全く限定されない。即ち、ＰＤＣ（パーソナル・デジタル・セルラー）、ＣＤＭＡ（符号分割多元接続）、ＰＨＳ（パーソナル・ハンディフォーン・システム）、その他、どのような方式の携帯電話機にも適用することができ、送受信部２２０は、通信方式に沿った処理を実行する。
【００２０】
アンテナ２１０を介して外部から電波を受信した場合には、送受信部２２０、音声処理部２３０を介してスピーカ１２２から音声が出力されたり、受信したデータが送受信部２２０を介してＣＰＵ２００へと入力され、ＣＰＵ２００で動作するアプリケーションによる処理を受けて、表示制御部２４０を介して表示部１２１、サブ表示部１２３にそれぞれ表示等される。音声、データの送受信については、周知の技術が用いられるので、本明細書での詳細な説明は省略する。
【００２１】
ＣＰＵ２００は、フリップ１２の開閉検出部１３１と接続されており、フリップ１２が閉状態から開放されたこと、開放状態から閉状態となったことを検出することができる。フリップ１２の開閉は公知の検出機構を適用して検出することができる。ＣＰＵ２００は、また各種操作キーの入力を受付けるように構成されており、本実施の形態では決定キー１１６、方向キー１１７、クリアキー１１５２、及び操作ボタン１２４の押下を受付けてショートカットの選択、処理の実行等を行う。
【００２２】
（２）ＣＰＵ２００の処理内容
以下、本実施の形態におけるＣＰＵ２００の処理内容について、フローチャート等を参照しながら説明する。図３は、フリップ１２が閉じた状態から開いた状態へと変化した場合のＣＰＵ２００の処理内容について説明するためのフローチャートである。
【００２３】
ＣＰＵ２００はフリップ１２０が閉じた状態から開いた状態へと変化したことを検出した場合に（Ｓ１０１：ＹＥＳ）、ショートカットの再生成及び再表示を行う。このショートカット再生成等については後に詳細に説明するが、まず、フリップ１２０が開いた状態（通常動作の状態）の処理について説明する（Ｓ１０１：ＮＯ）。
【００２４】
即ち、フリップ１２０が開いた状態にあって（Ｓ１０１：ＮＯ）、メール受信、留守録等のイベントも発生していない場合（Ｓ１０２：ＮＯ）、ユーザによる操作がなされたか否かを判定する（Ｓ１０３）。ユーザ操作の無い場合には（Ｓ１０３：ＮＯ）、通常の待ち受け画面を表示する（Ｓ１０４）。この待ち受け画面にはショートカットは表示されない。ユーザ操作があった場合（Ｓ１０３：ＹＥＳ）、表示部１２１に対応画面を表示する（Ｓ１０５）。ユーザ操作が終了すれば（Ｓ１０６：ＹＥＳ）、待ち受け画面が表示される（Ｓ１０４）。
【００２５】
ステップＳ１０２においてメール受信、不在着信等のイベントが発生した場合（Ｓ１０２：ＹＥＳ）、ショートカットを生成し（Ｓ１０７）、表示部１２１に表示する（Ｓ１０８）。なお、フリップ１２が閉じた状態から開いた状態へと変化したことが検出された場合（Ｓ１０１：ＹＥＳ）、その際のイベントの発生件数等に基づいて再度ショートカットの生成を行う（Ｓ１０７）。
【００２６】
図４は、表示部１２１に表示されるショートカットの形態の一例を示す図である。同図４（ａ）に示されるショートカット２０１〜２０４が、それぞれ発生した未確認のイベントの種類、及び発生件数を表しており、ショートカット２０１〜２０４のいずれかを方向キー１１７及び決定キー１１６で選択することができるようになっている。図４（ａ）の例では、新着メールが１件未読であることを示すショートカット２０２が選択された状態にある。本実施の形態では、フリップ１２が開いたことが検出された場合に発生したイベントの種類、件数からショートカットを再生成し、表示部１２１に表示させることにより、ショートカット表示のための専用のキーを設ける必要がなく、適切なタイミングでショートカットを再表示させることができる。
【００２７】
ショートカットが選択された場合（Ｓ１０９：ＹＥＳ）、即ち、方向キー１１７でショートカットが選択された状態で決定キー１１６が押下された場合、選択されたショートカットに対応する処理が実行される（Ｓ１１０）。処理内容は適宜定めておくことができ、例えば新着メールのショートカットの場合、新着メールの一覧画面を表示したり、新着メールを表示したりすることができる。
【００２８】
上記の処理によって未読の新着メールが０件となれば、それ以後は新たなメールの受信があるまで、新着メールのショートカットは表示されなくなる。未確認項目のショートカットが残っており（Ｓ１１１：ＹＥＳ）、クリアキー１１５２が押下されていない場合（Ｓ１１２：ＮＯ）、再度ショートカットを生成し（Ｓ１０７）、表示する（Ｓ１０８）。ショートカット再生成処理では、イベントの種類ごとに未確認の件数が改めて算出される。図４（ｂ）は、この際の表示部１２１の状態の例を示しており、新着メールのショートカットが表示されなくなっている。
【００２９】
未確認項目のショートカットが無くなった場合（Ｓ１１１：ＮＯ）、あるいはクリアキー１１５２が押下された場合（Ｓ１１２：ＹＥＳ）には、待ち受け画面の表示に戻る（Ｓ１０４）。この際、ショートカットは非表示となる。
【００３０】
次に、フリップ１２を閉じたことが検出された場合の処理内容について説明する。図５は、この際の処理内容を示すフローチャートである。フリップが閉じた場合には、フリップ１２の外側のサブ表示部１２３にショートカットを表示する。フリップ１２が閉じたことはフリップ１２の開閉検出部１３１（図２参照）で検出することができる。フリップ１２が閉じたことを検出した場合（Ｓ２０１：ＹＥＳ）、ショートカットの生成処理を行い（Ｓ２０２）、サブ表示部１２３をオン状態とし、ショートカットを表示する（Ｓ２０３）。
【００３１】
ショートカットの生成処理においては、サブ表示部１２３に表示するショートカットを生成する。この際、例えばフリップ１２を閉じた状態では処理できないような項目があれば、当該項目は表示しないようにすることもできる。例えば留守録の再生を外部のスピーカではなくスピーカ１２２のみから音声出力するような場合、閉じた状態では処理することができないため、サブ表示部１２３には留守録のショートカットを表示しないようにすることなどが考えられる。具体的にどのようなショートカットをサブ表示部１２３に表示しないようにするかは、留守録の再生に限定されず、機種ごとの機能や用途等によって種々の形態が考えられる。例えば内部のメモリにフリップ１２が開状態となった場合に生成すべきショートカットの種類と、フリップ１２が閉状態となった場合に生成すべきショートカットの種類とをそれぞれ記憶しておき、それに基いてショートカットの生成を行うようにすることができる。ショートカットの形状等については表示部１２１に表示されるものと同様に考えることができる。
【００３２】
ショートカット選択は例えば操作ボタン１２４を用いて行うことができる。ショートカットが選択された場合（Ｓ２０５：ＹＥＳ）、対応する処理を実行する（Ｓ２０６）。未確認項目がなくなった場合（Ｓ２０７：ＮＯ）、あるいは所定時間が経過した場合（Ｓ２０８：ＹＥＳ）にサブ表示部をオフとする（Ｓ２０９）。
【００３３】
（変形例）
以上、本発明の実施の形態について説明したが、本発明の内容が上記実施の形態において説明された具体例によって限定されないことは勿論であり、例えば、以下のような変形例を実施することもできる。
【００３４】
（１）上記実施の形態では、ショートカットの表示形態として、イベントの種類と未確認の件数とを一覧表示したが、表示の形態はこれに限定されず、例えば発生件数の表示を、前回表示されていた件数と、前記表示と今回までの間に発生した件数とを分けて表示するような形態も可能である。
【００３５】
（２）上記では詳細な説明を省略したが、「不在着信」のショートカットを選択した場合に着信履歴の画面を表示させるような場合において、着信回数の一番多い番号を最初に表示したり、電話帳に登録された番号の中で優先度の高い番号から順に表示することもできる。例えば、相手先Ａから１０回着信があり最後の着信が２時間前である場合と、相手先Ｂからの１回の着信が５分前である場合、着信履歴として相手先Ａの方を先に表示するようにすることができる。また、優先度の高い相手先Ａから１０回着信があり最後の着信が２時間前である場合と、優先度の低い相手先Ｂからの１回の着信が５分前である場合、着信履歴として相手先Ａの方を先に表示するようにすることができる。
【００３６】
（３）「新着メール」のショートカットを選択した場合、発生回数が多いアドレス順に表示したり、メールの種別、フォルダごと等に分類して表示することもできる。
（４）「スケジュール」のショートカットを選択した場合に、登録されたスケジュールを重要度の順で表示するようにしてもよい。
【００３７】
（５）上記の実施の形態では、図３のフローチャートに示されるように（Ｓ１１２）、ショートカットが表示された後にクリアキー１１５２が押下された場合に待ち受け画面に戻すようにした。この場合、未読のメールなど、未確認項目の件数については、そのまま保持されるが、例えば全て確認済みの設定にするキーを設けてもよい。このキーが押下された場合には、不在着信、新着メール等、全てのイベントが全て確認済みの状態となり、次のイベントが発生するまで、フリップの開放があってもショートカットが表示されなくなる。
【００３８】
（６）上記実施の形態では、本発明を折畳式の携帯電話機に適用した場合について説明したが、これに限定されるわけではなく、例えばスライド式の携帯電話機で各種操作ボタンが配された本体を開閉自在にカバーする部材等において、当該カバーする部材をスライドして開閉させるときなどにショートカットを再表示させることもできる。
【産業上の利用可能性】
【００３９】
本発明は、例えば本体に対してフリップが開閉自在に取り付けられた携帯電話機等の携帯情報端末に適用することができる。
【図面の簡単な説明】
【００４０】
【図１】本発明の実施の形態における携帯電話機の外観の一例を示す斜視図である。
【図２】携帯電話機１０の内部構成を示すブロック図である。
【図３】フリップ１２が閉じた状態から開いた状態へと変化した場合のＣＰＵ２００の処理内容について説明するためのフローチャートである。
【図４】表示部１２１に表示されるショートカットの形態の一例を示す図である。
【図５】フリップ１２を閉じたことが検出された場合の処理内容を示すフローチャートである。
【符号の説明】
【００４１】
１０                      携帯電話機
１１                      携帯電話機本体
１１５                    ダイアルキー
１１５１                  電源キー
１１５２                  クリアキー
１１５３                  通話キー
１１６                    決定キー
１１７                    方向キー
１２                      フリップ
１２１                    表示部
１２２                    マイク
１２３                    サブ表示部
１２４                    操作ボタン
１３                      ヒンジ
１３１                    フリップ開閉検出部
２００                    ＣＰＵ
２０１〜２０４            ショートカット
２３０                    表示制御部
【図１】
2006279664.tif 000003
【図２】
2006279664.tif 000004
【図３】
2006279664.tif 000005
【図４】
2006279664.tif 000006
【図５】
2006279664.tif 000007